(57)【特許請求の範囲】
【請求項１】
フロントピンが摺動自在に嵌挿されるピン用孔を有する重り部材を鉛以外の比重の大きい材料によって形成し、鍵盤の下面前端部で前記フロントピンに対応する箇所に形成した凹陥部に嵌合したことを特徴とする鍵盤楽器の鍵盤。
【請求項２】
鍵盤のフロントピンに対応する前端部分を鉛以外の比重の大きい材料からなる重り部材で構成したことを特徴とする鍵盤楽器の鍵盤。
【請求項３】
請求項１または２記載の鍵盤楽器の鍵盤において、
重り部材が金属、焼結合金、合成樹脂もしくはこれらの複合材料によって形成されていることを特徴とする鍵盤楽器の鍵盤。
【請求項４】
請求項２記載の鍵盤楽器の鍵盤において、
重り部材にフロントピンが挿通されるピン用孔を形成したことを特徴とする鍵盤楽器の鍵盤。
【発明の詳細な説明】
【０００１】
【発明の属する技術分野】
本発明は、鍵盤楽器の鍵盤に関する。
【０００２】
【従来の技術】
一般のピアノ、電子ピアノなどの鍵盤楽器において、演奏時における鍵タッチの重さは演奏者にとってタッチ感に微妙な差異を感じさせ、心理的に演奏内容に大きな影響を与えるため、鍵タッチの重さを全ての鍵盤に対してもしくは音域毎に一様に揃えることが要求される。この鍵タッチの重さは原則的には各演奏者の好みに合わせて調整されるものであるが、実際には楽器の製作時において標準の重さに設定している。
【０００３】
鍵タッチの調整方法としては、ピアノの鍵盤の場合、図４および図５に示すように鍵盤１の回動支点Ｏより前端部寄りに鍵盤１の両側面に貫通する直径１０ｍｍ程度の重り用貫通孔２を鍵盤１の長手方向に適宜間隔をおいて所要個数形成し、この重り用貫通孔２に円柱状に形成した重り３をはめ込んでいる。重り３の材料としては鉛が用いられる。鉛を用いる理由は、比重が大きく柔軟性を有し、加圧手段（ビット）４によって押圧してその両端の外周部を外側に変形させて重り用貫通孔２の穴壁に食い込ませると重り用貫通孔２からの脱落を防止することができるためである。なお、５は弦を打撃するアクション機構で、押鍵操作時に鍵盤１の上面後端部に突設したキャプスタンスクリュー６によって突き上げられると、ハンマー７が当該鍵盤１に対応する弦を打撃するように構成されている。８は鍵盤１を揺動自在に支持するバランスキーピン、９は鍵盤１の左右方向の移動を規制するフロントピン、１０は鍵盤１の前面および上面前端部を覆う象牙、アクリル樹脂等の上面材である。
【０００４】
【発明が解決しようとする課題】
重り３の材料として用いられる鉛は、安価で比重（１１．３４）が工業用金属中で最も大きく、また柔軟であらゆる形状にたやすく加工でき、重り用貫通孔２への圧入固定が容易であることから、鍵盤のバランサとして欠かせない材料とされている。
しかしながら、鉛は重金属であり、有害物質とされているため、環境保全のためには使用しないことが望ましく、材料の変換が要望されている。
【０００５】
本発明は上記した従来の問題を解決するためになされたもので、その目的とするところは、環境対策として鉛以外の比重の大きい材料によって形成した重り部材を用いることにより、鉛と同等の機能を発揮させることができるようにした鍵盤楽器の鍵盤を提供することにある。
【０００６】
【課題を解決するための手段】
上記目的を達成するために第１の発明は、フロントピンが摺動自在に嵌挿されるピン用孔を有する重り部材を鉛以外の比重の大きい材料によって形成し、鍵盤の下面前端部で前記フロントピンに対応する箇所に形成した凹陥部に嵌合したことを特徴とする。
第２の発明は、鍵盤のフロントピンに対応する前端部分を鉛以外の比重の大きい材料からなる重り部材で構成したことを特徴とする。
第３の発明は、上記第１または第２の発明において、重り部材が金属、焼結合金、合成樹脂もしくはこれらの複合材料によって形成されていることを特徴とする。
第４の発明は、上記第２の発明において、重り部材にフロントピンが挿通されるピン用孔を形成したことを特徴とする。
【０００７】
本発明において、鉛以外の比重の大きい材料によって形成された重り部材は、鉛と同等の機能を発揮する。重り部材としては、鉄、黄銅等の金属、焼結合金（特に鉄系のもの）、合成樹脂もしくはこれらの複合材料によって形成される。フロントピンはピン用孔に挿入されることで鍵盤の左右方向の移動を規制する。したがって、重り部材は重り兼ピンのガイド部材として機能する。
【０００８】
【発明の実施の形態】
以下、本発明を図面に示す実施の形態に基づいて詳細に説明する。
図１は本発明をピアノの鍵盤に適用した一実施の形態を示す断面図、図２は鍵盤の要部と重り部材の分解斜視図である。なお、従来技術の欄で示した構成部材等と同一のものについては同一符号をもって示し、その説明を適宜省略する。これらの図において、鍵盤１の下面前端部でフロントピン９に対応する部位には、鍵盤１の長手方向に長い長円形の凹陥部２０が形成され、さらにこの凹陥部２０の両側には切欠き２１が形成されている。凹陥部２０の形状としては、応力の集中を避けるために長円形としたが、これに限らず矩形、六角形等であってもよい。切欠き２１は凹陥部２０の長軸と直交するように鍵盤１の幅方向に形成され、幅（鍵盤の長手方向の長さ）がフロントピン９の下部に設けられているフロントピンパンチング２２の外径より若干大きく設定されている。
【０００９】
２３は前記凹陥部２０にはめ込まれる重り部材で、この重り部材２３は鉛以外の比重の大きい材料によって凹陥部２０より若干小さい長円形の筒状体に形成され、凹陥部２０内に嵌挿された後接着剤によって固着される。凹陥部２０にはめ込まれた状態において重り部材２３の外部に露呈する下面２３ａにはピン用孔２４と浅い溝２５が互いに直交するように形成されている。ピン用孔２４は、前記フロントピン９が摺動自在に挿入されるもので、重り部材２３の幅方向中央に長軸方向に長く形成され、その両側壁にはフェルト２６が貼着される。溝２５は、前記切欠き２１と同一の幅で重り部材２３の全幅にわたって形成されている。
【００１０】
重り部材２３の材料としては、例えば金属、合成樹脂もしくはこれらの複合材料が用いられる。金属としては、比較的安価で比重の大きい鉄（７．８６）、黄銅（８．３）等が用いられる。鉄で形成する際には、防錆処理を施すことが望ましい。合成樹脂としては、フッ素樹脂等が用いられる。また、合成樹脂の場合は、インジェクション成形によって溶けた合成樹脂を充填し重り部材２３を形成すると、はめ込みおよび接着作業が不要で凹陥部２０からの脱落を防止することができる。なお、２７はフロントピン９およびバランスキーピン８（図４参照）が植設される鍵盤筬である。
【００１１】
このような構造からなる鍵盤においては、鍵盤１の下面前端部に設けた凹陥部２０内に重り部材２３を埋め込んでいるので、鍵盤１の重さを調整することができる。また、鍵盤１の下面側に埋め込んでいるので、側方から視認されることがなく、鍵盤１の外観を損なうことがない。さらに、図４に示した従来の重り３に較べて支点Ｏから遠い位置に埋め込んでいるので、重り部材２３自体の数は１つであってもまた鉛に較べて比重が小さい材料で形成されたものであっても鉛と同等の機能を発揮させることができる。加えて、鉛を用いていないので、環境問題を引き起こすおそれがなく、きわめて有効である。
【００１２】
図３は本発明の他の実施の形態を示す鍵盤の要部の斜視図である。
この実施の形態においては、通常の鍵盤より短い木製の鍵盤本体３０と、この鍵盤本体３０の前面に接着剤等によって接合された重り部材３１とで鍵盤３２を構成している。重り部材３１は、鉛以外の比重の大きい金属、合成樹脂あるいはこれらの複合材料によって形成され、下面にピン用孔３３と、浅い溝３４が形成されている。鍵盤本体３０と重り部材３１の接合面には、互いに噛み合うＶ字状の溝と突条体が厚み方向に交互に形成されている。
このような構成においても、鍵盤３２の前端部分を重り部材３１によって形成しているので、上記した実施の形態と同様な効果を得ることができる。
【００１３】
なお、上記した実施の形態においては、ピアノの鍵盤に適用した例を示したが、本発明はこれに何等特定されるものではなく、電気ピアノ、電子ピアノ等の鍵盤楽器の鍵盤にも適用することが可能である。
【００１４】
【発明の効果】
以上説明したように本発明に係る鍵盤楽器の鍵盤は、鉛以外で比重の大きな材料によって形成した重り部材を鍵盤の下面前端部に形成した凹陥部に嵌合するかもしくは鍵盤の前端部分を重り部材で構成したので、環境問題を引き起こすおそれがなく、また従来の重りに較べて数を少なくすることができ、取付作業が容易である。
【図面の簡単な説明】
【図１】  本発明をピアノの鍵盤に適用した一実施の形態を示す断面図である。
【図２】  鍵盤の要部の分解斜視図である。
【図３】  本発明の他の実施の形態を示す要部の斜視図である。
【図４】  重りを備えた従来のピアノの鍵盤を示す側面図である。
【図５】  鍵盤の断面図である。
【符号の説明】
１…鍵盤、２…重り用貫通孔、３…重り、４…ビット、５…アクション機構、９…フロントピン、２０…凹陥部、２３…重り部材、２４…ピン用孔、３０…鍵盤本体、３１…重り部材、３３…ピン用孔。
【図１】
0003704930.tif 000002
【図２】
0003704930.tif 000003
【図３】
0003704930.tif 000004
【図４】
0003704930.tif 000005
【図５】
0003704930.tif 000006